(57)【特許請求の範囲】
【請求項１】
タクシーメータの車載器が乗務員の認証の際に利用する所定の乗務員カードを作成し前記乗務員カードの記録内容を管理する前記車載器とは独立したカード管理装置であって、
処理対象の前記乗務員カードから読み取ったデータに基づいて、該当する乗務員が前回乗務を終了した時刻を入庫時刻として検出する入庫時刻検出部と、
処理対象の前記乗務員カードに対して新たな運行許可を発行する際に、少なくとも前記入庫時刻検出部が検出した入庫時刻と現在時刻とに基づいて、運行の可否を自動的に識別する運行可否識別部と、
前記運行可否識別部の識別結果に従って、運行許可又は運行拒否を表す情報を処理対象の前記乗務員カードに書き込む運行許可発行部と
を備えることを特徴とするカード管理装置。
【請求項２】
前記運行許可発行部は、前記運行許可を発行する際の現在時刻に応じて定まる時刻情報も処理対象の前記乗務員カードに書き込む
ことを特徴とする請求項１に記載のカード管理装置。
【請求項３】
前記運行可否識別部は、少なくとも検出した入庫時刻から現在時刻までの経過時間が予め定めた閾値以内の場合には運行拒否として識別する
ことを特徴とする請求項１に記載のカード管理装置。
【請求項４】
乗務員毎に用意される乗務員カードと、装着された乗務員カードの記録内容に基づいて乗務員の認証を行う機能を備えたタクシーメータ車載器と、乗務員毎に前記乗務員カードを作成し前記乗務員カードの記録内容を管理する前記車載器とは独立したカード管理装置とで構成される運行管理システムであって、
前記カード管理装置には、
処理対象の前記乗務員カードから読み取ったデータに基づいて、該当する乗務員が前回乗務を終了した時刻を入庫時刻として検出する入庫時刻検出部と、処理対象の前記乗務員カードに対して新たな運行許可を発行する際に、少なくとも前記入庫時刻検出部が検出した入庫時刻と現在時刻とに基づいて、運行の可否を自動的に識別する運行可否識別部と、前記運行可否識別部の識別結果に従って、運行許可又は運行拒否を表す情報を処理対象の前記乗務員カードに書き込む運行許可発行部とを備え、
前記タクシーメータ車載器には、
乗務員が乗務を終了した時に現在時刻の情報を前記乗務員カードに書き込む入庫時刻書き込み部と、乗務を開始する時に装着された前記乗務員カードに記録されている情報に基づき乗務員の認証を行うと共に運行許可の有無を識別する認証処理部と、運行許可がない場合にタクシーメータの機能を制限する運行制限制御部とを備えた
ことを特徴とする運行管理システム。
【発明の詳細な説明】
【技術分野】
【０００１】
本発明は、タクシーメータの車載器が乗務員の認証の際に利用する乗務員カードを管理するカード管理装置および運行管理システムに関し、特に乗務員の労務管理と関連のある技術に関する。
【背景技術】
【０００２】
一般的に、タクシー車両に搭載されているタクシーメータを使用してタクシーで営業を行う際には、データの書き込み及び読み出しが可能なメモリカードがタクシーメータに装着される。従って、営業中にタクシーメータが収集した情報、すなわち営業データや時系列データをメモリカードに記録することができる。また、営業データや時系列データが記録されたメモリカードを乗務員がタクシーメータから取り外して事務所に持ち帰り、メモリカード上のデータを事務所内のコンピュータで読み取って管理することができる。
【０００３】
また、タクシーメータに装着されるメモリカードについては、乗務員を管理するためにも利用される。すなわち、乗務員コードを書き込んだメモリカードを正規の乗務員のそれぞれに乗務員カードとして配布しておき、タクシーの乗務を開始する際に、タクシーメータに装着された乗務員カードを用いて認証を行い、認証に成功した乗務員に限りタクシー乗務の制限を解除する。
【０００４】
また、例えば特許文献１においては、共通のタクシー車両及びタクシーメータを時間帯の違いに応じて複数の乗務員が交代で使用できるようにする技術が開示されている。すなわち、正規の乗務員に対応した判定情報を事前にタクシーメータ上に登録しておき、乗務員がタクシーメータに装着したカードから読み取ったデータ（乗務員情報や乗務員免許証情報）と前記判定情報とを比較して認証を行う。そして、認証に失敗した時にはタクシーメータの機能を制限し、認証に成功すると機能制限を解除する。
【０００５】
また、本発明と多少関連のある従来技術が、例えば特許文献２に開示されている。特許文献２は、遊戯施設等のアトラクションに入場する客の待ち行列を制御するための技術を提案している。具体的には、未来の時刻に入場するための優先権が付与されたパスを発行し、このパスによって客の入場や待ち行列を制御する。従って、客は所定の時間待ちの後、自分の所持するパスに表示されている指定時刻になると、アトラクションに入場する権利が得られる。パスに付与する未来の入場時刻を制御することで、待ち行列の長さや待ち時間を制御することができる。
【先行技術文献】
【特許文献】
【０００６】
【特許文献１】特開２００９−７５８１０号公報
【特許文献２】特表２００７−５０９３９３号公報
【発明の概要】
【発明が解決しようとする課題】
【０００７】
ところで、タクシー業界で働く乗務員の労働については、タクシー車両の安全な運行の妨げにならないように、並びに乗務員自身に健康上の問題が生じないように厳しく管理する必要がある。従って、例えば、一人の乗務員の１日の乗務が終了してから、この乗務員が翌日に乗務を開始するまでの間に十分な休憩時間を設けなければならない。また、一般的な会社における労働者に対する労務管理の場合と同様に、１週間毎の労働時間（あるいは拘束時間）、１ヶ月毎の労働時間、１年毎の労働時間、休日などの制限を管理する必要がある。
【０００８】
従って、タクシー会社においては、社員として働く各乗務員の申告等に基づいて乗務員毎に乗務時間等を把握し、予め定めた規制に違反しないように労務管理を行っている。しかしながら、各時点で乗務員が乗務を行うか否かの判断については最終的には乗務員自身の判断にゆだねられるので、予め定めた規制に違反して乗務を行うのを事前に阻止することはできないのが実情である。
【０００９】
例えば、特許文献１に開示された技術を搭載したタクシーメータやカードを使用する場合であっても、予め登録された正規の乗務員であれば、それまでの労務の状況とは無関係にタクシーメータの機能制限が解除されるので、いつでもタクシーの乗務を開始することができる。
【００１０】
本発明は、上述した事情に鑑みてなされたものであり、その目的は、タクシーの乗務員が予め定めた規制に違反して乗務を行うのを事前に阻止することが可能なカード管理装置および運行管理システムを提供することにある。
【課題を解決するための手段】
【００１１】
前述した目的を達成するために、本発明に係るカード管理装置は、下記（１）〜（３）を特徴としている。
（１）  タクシーメータの車載器が乗務員の認証の際に利用する所定の乗務員カードを作成し前記乗務員カードの記録内容を管理する前記車載器とは独立したカード管理装置であって、
処理対象の前記乗務員カードから読み取ったデータに基づいて、該当する乗務員が前回乗務を終了した時刻を入庫時刻として検出する入庫時刻検出部と、
処理対象の前記乗務員カードに対して新たな運行許可を発行する際に、少なくとも前記入庫時刻検出部が検出した入庫時刻と現在時刻とに基づいて、運行の可否を自動的に識別する運行可否識別部と、
前記運行可否識別部の識別結果に従って、運行許可又は運行拒否を表す情報を処理対象の前記乗務員カードに書き込む運行許可発行部と
を備えること。
（２）  上記（１）に記載のカード管理装置であって、
前記運行許可発行部は、前記運行許可を発行する際の現在時刻に応じて定まる時刻情報も処理対象の前記乗務員カードに書き込むこと。
（３）  上記（１）に記載のカード管理装置であって、
前記運行可否識別部は、少なくとも検出した入庫時刻から現在時刻までの経過時間が予め定めた閾値以内の場合には運行拒否として識別すること。
【００１２】
上記（１）の構成のカード管理装置によれば、該当する乗務員の乗務の状況を反映した運行許可又は運行拒否の情報を前記乗務員カードに書き込むことができる。例えば、前回の乗務終了時から現在までの時間経過に相当する休憩時間が十分か否かに応じて、運行許可又は運行拒否の情報を書き込むことができる。また、この乗務員カードをタクシーメータに装着して認証を行う際に、運行許可又は運行拒否の情報を参照すれば、乗務員が予め定めた規制に違反して乗務を行うのを事前に阻止できる。
上記（２）の構成のカード管理装置によれば、運行許可又は運行拒否の情報に関する有効期間を限定することができる。従って、例えば規制に違反している状況であるにもかかわらず、新たな情報の書き込みを省略し、過去に記録された古い運行許可の情報を利用して不正に乗務を行おうとする行為を防止することが可能である。
上記（３）の構成のカード管理装置によれば、該当する乗務員カードを所持する乗務員が、前回の入庫時刻から次に乗務を開始するまでの休憩時間の最小値を規制することができる。
【００１３】
前述した目的を達成するために、本発明に係る運行管理システムは、下記（４）を特徴としている。
（４）  乗務員毎に用意される乗務員カードと、装着された乗務員カードの記録内容に基づいて乗務員の認証を行う機能を備えたタクシーメータ車載器と、乗務員毎に前記乗務員カードを作成し前記乗務員カードの記録内容を管理する前記車載器とは独立したカード管理装置とで構成される運行管理システムであって、
前記カード管理装置には、
処理対象の前記乗務員カードから読み取ったデータに基づいて、該当する乗務員が前回乗務を終了した時刻を入庫時刻として検出する入庫時刻検出部と、処理対象の前記乗務員カードに対して新たな運行許可を発行する際に、少なくとも前記入庫時刻検出部が検出した入庫時刻と現在時刻とに基づいて、運行の可否を自動的に識別する運行可否識別部と、前記運行可否識別部の識別結果に従って、運行許可又は運行拒否を表す情報を処理対象の前記乗務員カードに書き込む運行許可発行部とを備え、
前記タクシーメータ車載器には、
乗務員が乗務を終了した時に現在時刻の情報を前記乗務員カードに書き込む入庫時刻書き込み部と、乗務を開始する時に装着された前記乗務員カードに記録されている情報に基づき乗務員の認証を行うと共に運行許可の有無を識別する認証処理部と、運行許可がない場合にタクシーメータの機能を制限する運行制限制御部とを備えたこと。
【００１４】
上記（４）の構成の運行管理システムによれば、乗務員の乗務の状況を反映した運行許可又は運行拒否を表す情報が書き込まれた乗務員カードを前記カード管理装置により発行することができる。また、運行許可又は運行拒否を表す情報が書き込まれた乗務員カードを前記タクシーメータ車載器で読み取ることにより、運行の可否を自動的に識別し、タクシーメータの機能制限を制御できる。
【発明の効果】
【００１５】
本発明によれば、タクシーの乗務員が予め定めた規制に違反して乗務を行うのを事前に阻止するために利用可能な乗務員カードを作成することができる。また、この乗務員カードの内容をタクシーメータ車載器で読み取って乗務可否に関する認証を行うことが可能になる。
【００１６】
以上、本発明について簡潔に説明した。更に、以下に説明される発明を実施するための形態を添付の図面を参照して通読することにより、本発明の詳細は更に明確化されるであろう。
【図面の簡単な説明】
【００１７】
【図１】運行管理システムの基本的な機能上の構成例を表すブロック図である。
【図２】乗務終了時に実行されるカード管理装置の処理を表すフローチャートである。
【図３】乗務開始前に実行されるカード管理装置の処理を表すフローチャートである。
【図４】タクシーメータ車載器の処理の概要を表すフローチャートである。
【図５】運行管理システムのハードウェアの構成例を表すブロック図である。
【発明を実施するための形態】
【００１８】
本発明のカード管理装置および運行管理システムに関する具体的な実施形態について、各図を参照しながら以下に説明する。
【００１９】
本実施形態の運行管理システムの機能上の基本的な構成が図１に示されている。また、この運行管理システムの実際のハードウェアの構成例が図５に示されている。図１に示すように、この運行管理システムは、カード管理装置１０と、タクシーメータ車載器２０と、乗務員カード３１とで構成されている。
【００２０】
乗務員カード３１は、データの書き込み及び読み出しが可能な不揮発性のメモリで構成されるメモリカードである。この乗務員カード３１は、一般的な乗務員カードと同様にタクシー会社に勤務する多数の乗務員のそれぞれに事前に配布され、営業のためにタクシー車両を運行する際の乗務員の認証や、営業中にタクシーメータ車載器により生成された営業テータおよび各種時系列データを記録するために利用される。
【００２１】
タクシー会社が社内で乗務員毎に乗務員カード３１を発行したり、乗務員カード３１に記録されたデータを管理するためにカード管理装置１０が設けてある。このカード管理装置１０は、タクシー会社の営業所の事務所内等に設置されるデータ処理装置、すなわちパーソナルコンピュータ等のコンピュータと処理の実行に必要な管理用プログラムとで構成することができる。また、本発明を実施する場合には、特別な労務管理用プログラムも、管理用プログラムに含まれる。
【００２２】
各乗務員に対して発行されるそれぞれの乗務員カード３１には、少なくとも該当する乗務員を特定する情報である乗務員コードと、カード作成日時の情報が、発行時にカード管理装置１０によって書き込まれる。
【００２３】
また、本発明を実施する場合には、各乗務員が１日に１回、乗務を開始する前に、労務管理上の観点から乗務が可能であることを表す運行許可を受けてからタクシー車両に乗務することを想定している。すなわち、運行許可を発行するための機能がカード管理装置１０に備わっているので、各乗務員は毎日、自分の乗務員カード３１をカード管理装置１０に装着して運行許可を表す当日の情報を乗務員カード３１に書き込んだ後、この乗務員カード３１をタクシーメータ車載器２０に装着してタクシーの乗務を開始する。
【００２４】
各乗務員がタクシー車両に乗務して営業を行っている時には、タクシーメータ車載器２０によって様々な営業データや運行状況を表す時系列データが順次に生成される。１日の営業が終了しタクシーの乗務を終了する時に、乗務員がタクシーメータ車載器２０に備わっている書き込みボタンを操作すると、それまでにタクシーメータ車載器２０内に蓄積された１日の営業データや時系列データが乗務員カード３１に書き込まれる。また、この時の現在時刻が入庫時刻として乗務員カード３１に書き込まれる。
【００２５】
各乗務員は、１日の営業が終了した後でタクシーメータ車載器２０から取り外した自分の乗務員カード３１を事務所に持ち帰り、事務所内のカード管理装置１０に装着する。この状態で、乗務員カード３１に記録されている当日の営業データや時系列データをカード管理装置１０が読み取り、カード管理装置１０が管理するデータベースにこのデータを追加する。従って、各乗務員の毎日の営業状態等を把握するためのデータの管理を行うことができる。
【００２６】
図５に示すように、タクシーメータ車載器２０の本体内部には、メモリカードＩ／Ｏ部２４、表示部２５、操作部２６、営業データ格納部（ＲＡＭ）２７、設定データ格納部（ＲＯＭ）２８、外部インタフェース２９、および演算部（ＣＰＵ）３０が備わっている。
【００２７】
メモリカードＩ／Ｏ部２４は、乗務員カード３１を装着するための装着部を有している。メモリカードＩ／Ｏ部２４に装着された乗務員カード３１は乗務員の操作により必要に応じて取り外すことができる。
【００２８】
表示部２５は、乗務員の操作に必要な文字情報を表示したり、乗客の運賃などを表す数値の情報を表示するための機能を有している。
【００２９】
操作部２６は、乗務員の様々な入力操作を受け付けるために必要な各種のボタンを備えている。具体的には、一般的なタクシーメータの場合と同様に、「実車」、「空車」、「支払い」、「高速」、「書き込み」等のボタンが備わっている。
【００３０】
営業データ格納部２７は、データの読み書きが自在なメモリ（ＲＡＭ）で構成されており、営業中にタクシーメータによって生成される様々な営業データや時系列データを一時的に（営業が終了してデータの保存が完了するまで）保持するために利用される。
【００３１】
設定データ格納部２８は、読み出し専用メモリ（ＲＯＭ）で構成されている。設定データ格納部２８上には、事前に決定された様々な定数データが予め書き込んである。例えば、乗客の運賃を算出する際に利用する料金制のデータも設定データ格納部２８に保持されている。
【００３２】
演算部３０は、マイクロコンピュータ（ＣＰＵ）で構成されており、予め内蔵されているプログラムを実行することにより、タクシーメータの制御に必要な様々な機能を実現する。また、演算部３０は、メモリカードＩ／Ｏ部２４に装着された乗務員カード３１から必要な情報を読み取って乗務員の認証等の処理を行い、その結果を反映するようにタクシーメータを制御する。
【００３３】
外部インタフェース２９には、領収書発行器４１およびウインドサイン４２が接続されている。領収書発行器４１は、紙の領収書を発行するためのプリンタであり、タクシーメータ車載器２０内の演算部３０が算出した運賃等の情報を紙に印刷する。ウインドサイン４２は、タクシー車両の現在の状況を表す「実車」、「空車」等の文字を車両の窓の外から見えるように表示する表示器である。ウインドサイン４２の表示内容は、タクシーメータの状態に応じて切り替わる。
【００３４】
また、図１に示すように、タクシーメータ車載器２０には入庫時刻書き込み部２１、認証処理部２２、および運行制限制御部２３の各機能が備わっている。これらの機能は演算部３０の処理によって実現する。
【００３５】
入庫時刻書き込み部２１は、１日の乗務が終了し、乗務員がタクシーメータの操作部２６の「書き込み」ボタン押下した時に、それを入庫状態として検出し、この時に取得した現在時刻のデータを入庫時刻として乗務員カード３１に書き込む。
【００３６】
認証処理部２２は、メモリカードＩ／Ｏ部２４に乗務員カード３１が装着された時に、すなわち乗務員が当日の乗務を開始しようとする時に、乗務員カード３１に保持されているデータに基づいて正規の乗務員かどうかを識別したり、有効な乗務許可が得られているかどうかを識別する。
【００３７】
運行制限制御部２３は、メモリカードＩ／Ｏ部２４に乗務員カード３１が装着されていない場合や、乗務員の認証に失敗した場合や、乗務員カード３１から有効な乗務許可が検出できない場合に、タクシーメータの動作を制限するための制御を行う。その場合、例えば所定のボタンが操作されても、「空車」状態から「実車」状態への切り替えを行わない。これにより、タクシーメータの不正な使用を防止したり、正規の乗務員が予め定められた労務の規定に違反して乗務を開始するのを防止できる。
【００３８】
一方、カード管理装置１０側には、入庫時刻検出部１１、運行可否識別部１２、運行許可発行部１３の各機能が備わっている。これらの機能は、カード管理装置１０のコンピュータが所定の労務管理プログラムを実行することにより実現される。
【００３９】
入庫時刻検出部１１は、カード管理装置１０のメモリカードＩ／Ｏ部１４に装着された処理対象の乗務員カード３１から読み取ったデータに基づいて、該当する乗務員が前回乗務を終了した時刻を入庫時刻として検出する。
【００４０】
すなわち、１日の乗務が終了した乗務員が、当日の営業データ、時系列データ、入庫時刻が書き込まれた乗務員カード３１を事務所に持ち帰り、これをカード管理装置１０に装着した時に、入庫時刻検出部１１が乗務員カード３１から入庫時刻のデータを読み取る。
【００４１】
運行可否識別部１２は、カード管理装置１０のメモリカードＩ／Ｏ部１４に装着された処理対象の乗務員カード３１に対して新たな運行許可を発行する際に、少なくとも入庫時刻検出部１１が検出した入庫時刻と現在時刻とに基づいて、運行の可否を自動的に識別する。
【００４２】
例えば、毎日乗務する乗務員が、前日の乗務終了時から当日の乗務開始時までの経過時間が短い場合には、その間の乗務員の休憩時間が短いことになるので、過労になる可能性が高い。また、例えば過去１週間、あるいは１ヶ月等の一定期間における乗務員の拘束時間（当日の乗務開始から乗務終了までの時間、あるいは出社時刻から退社時刻までの時間）の累積値や平均値等が長すぎる場合も過労になる可能性が高い。
【００４３】
従って、このような過労の状態が生じないように、事前に決定した社内の労務管理の規則と実際の乗務の履歴とに基づいて、運行可否識別部１２が該当する乗務員の運行の可否を識別する。
【００４４】
運行許可発行部１３は、運行可否識別部１２の識別結果に従って、運行許可又は運行拒否を表す情報を、メモリカードＩ／Ｏ部１４に装着されている乗務員カード３１に書き込む。また、今回運行許可を発行した日時、あるいは今回発行した運行許可の有効期間を表す日時に関する時刻情報も乗務員カード３１に書き込む。
【００４５】
次に、図１および図５に示したカード管理装置１０およびタクシーメータ車載器２０の具体的な動作について説明する。乗務終了時に実行されるカード管理装置１０の処理の概要が図２に示されている。また、乗務開始前に実行されるカード管理装置１０の処理の概要が図３に示されている。更に、タクシーメータ車載器２０の処理の概要が図４に示されている。
【００４６】
各乗務員は、１日の営業が終了した後でタクシーメータ車載器２０から取り外した自分の乗務員カード３１を事務所に持ち帰り、事務所内のカード管理装置１０に装着する。この状態で、カード管理装置１０が図２に示す処理を実行する。
【００４７】
カード管理装置１０のコンピュータは、メモリカードＩ／Ｏ部１４に乗務員カード３１が装着されたことを検出すると、ステップＳ１１からＳ１２の処理に進み、乗務員カード３１から当日に記録された営業データや時系列データを読み取る。そして、乗務員カード３１から読み取ったデータをカード管理装置１０内部の記憶装置上に設けられた乗務員管理ＤＢ（データベース）３２上に保存する。
【００４８】
乗務員管理ＤＢ３２上のデータは、乗務員コードに対応付けて乗務員毎に区別して管理されている。従って、乗務員管理ＤＢ３２に保存されているデータにより、各乗務員の毎日の営業状態等を把握するためのデータの管理を行うことができる。
【００４９】
次のステップＳ１３では、カード管理装置１０のコンピュータが乗務員カード３１から当日の入庫時刻（最後に書き込みボタンが押下された時刻）のデータを読み取り、このデータを乗務員管理ＤＢ３２に保存する。
【００５０】
ステップＳ１４では、カード管理装置１０のコンピュータが乗務員管理ＤＢ３２に保存されているデータに基づいて各乗務員の拘束時間を管理する。例えば、毎日の乗務開始時刻又は出勤時刻から乗務終了時刻（入庫時刻）又は退社時刻までの拘束時間の長さの情報を乗務員管理ＤＢ３２上に記録しておき、過去のデータを集計することにより、過去１週間における拘束時間の累積値や平均値を算出したり、過去１ヶ月間における拘束時間の累積値や平均値を算出する。
【００５１】
ステップＳ１５では、カード管理装置１０のコンピュータは、乗務員カード３１から読み出して乗務員管理ＤＢ３２上に既に保存した当日の営業データや時系列データを乗務員カード３１上から消去する。これにより、次回乗務する際にデータを記録するための空き領域を乗務員カード３１上に確保する。
【００５２】
各乗務員は、毎日の乗務を開始する前（通常は乗務の直前）に、当日の乗務許可を発行してもらうために、自分の乗務員カード３１をカード管理装置１０に装着し、図３に示す処理をカード管理装置１０のコンピュータで実行する。
【００５３】
カード管理装置１０のコンピュータは、メモリカードＩ／Ｏ部１４に乗務員カード３１が装着されたことを検出すると、ステップＳ２１からＳ２２の処理に進み、乗務員カード３１に記録されている乗務員コードを読み取って該当する乗務員を特定する。
【００５４】
ステップＳ２３では、乗務員管理ＤＢ３２上に保持されている該当する乗務員のデータにアクセスし、この乗務員の前回乗務終了時刻（入庫時刻）および拘束時間の情報を取得する。また、次のステップＳ２４では、カード管理装置１０のコンピュータに内蔵されている時計回路から現在時刻の情報を取得する。
【００５５】
ステップＳ２５では、ステップＳ２３で取得した前回乗務終了時刻からステップＳ２４の現在時刻までの経過時間の長さを休憩時間としてカード管理装置１０のコンピュータが算出する。
【００５６】
ステップＳ２６では、ステップＳ２５で算出した休憩時間の長さを予め定めた閾値ｔｈ１と比較し、「休憩時間＞ｔｈ１」の条件を満たす場合はステップＳ２７に進み、条件を満たさない場合はステップＳ２８に進む。
【００５７】
ステップＳ２７では、ステップＳ２３で取得した拘束時間（一定期間の累積値又は平均値）の長さを予め定めた閾値ｔｈ２と比較し、「拘束時間＞ｔｈ２」の条件を満たす場合はステップＳ２９に進み、条件を満たさない場合はステップＳ２８に進む。
【００５８】
なお、閾値ｔｈ１、ｔｈ２のそれぞれについては、タクシー会社の社内等で予め定めた労務管理の規則に基づき、この規則に違反しないような値に決定される。
【００５９】
ステップＳ２８では、予め定めた「乗務拒否」コードおよび現在時刻のデータを、メモリカードＩ／Ｏ部１４に装着されている乗務員カード３１にカード管理装置１０のコンピュータが書き込む。つまり、該当する乗務員の現在までの休憩時間又は拘束時間が労務管理上の規定に違反する状態であるため、乗務許可は発行しない。
【００６０】
ステップＳ２９では、予め定めた「乗務許可」コードおよび現在時刻のデータを、メモリカードＩ／Ｏ部１４に装着されている乗務員カード３１にカード管理装置１０のコンピュータが書き込む。つまり、該当する乗務員の現在までの休憩時間および拘束時間が労務管理上の規定に適合する状態であるため、この乗務員カード３１に対して乗務許可を発行する。
【００６１】
なお、図３に示した例では、ステップＳ２９で乗務許可を発行した時の現在時刻（発行時刻）を乗務員カード３１に書き込んでいるが、現在時刻の代わりにこの乗務許可の有効な期間あるいは効力が消滅する時刻を表す情報を書き込んでも良い。
【００６２】
各乗務員は、毎日、タクシーに乗務する前に、カード管理装置１０が行う図３に示した処理により当日の乗務許可の発行を受ける。そして、乗務許可の情報が書き込まれた自分の乗務員カード３１を所持した状態でタクシー車両に乗り込み、乗務員カード３１をタクシーメータ車載器２０のメモリカードＩ／Ｏ部２４に装着する。この状態で、タクシーメータ車載器２０の演算部３０は所定のプログラムを実行し、図４に示す処理を行う。
【００６３】
タクシーメータ車載器２０の演算部３０は、メモリカードＩ／Ｏ部２４に乗務員カード３１が装着されたことを検出すると、ステップＳ３１からＳ３２の処理に進み、乗務員カード３１に記録されているデータを読み取る。
【００６４】
ステップＳ３３では、演算部３０は乗務員カード３１から取得した乗務員コードに基づいて該当する乗務員を特定し、この乗務員が正規の乗務員か否かについて認証処理を行う。例えば、タクシーメータ車載器２０上に予め登録されている既知の乗務員コードと、乗務員カード３１から取得した乗務員コードとが一致するか否かで認証を行うことができる。認証に成功すると次のステップＳ３４に進み、認証に失敗するとステップＳ３６に進む。
【００６５】
ステップＳ３４では、演算部３０は予め定めた乗務許可コードが乗務員カード３１に保持されているか否かを識別する。乗務許可コードを検出した場合は次のステップＳ３５に進み、乗務許可コードが検出されないか、もしくは乗務拒否コードが検出された場合はステップＳ３６に進む。
【００６６】
ステップＳ３５では、演算部３０はステップＳ３４で検出された乗務許可コードが時間的に有効か否かを識別する。例えば、カード管理装置１０が乗務員カード３１に乗務許可コードを書き込んだ時刻（発行時刻）が乗務員カード３１に記録されている場合には、この発行時刻から現在時刻までの経過時間が規定時間（例えば２時間）以内であれば有効期間内の乗務許可コードであると認識できる。また、例えば乗務許可コードの有効期間が期限切れになる時刻（期限時刻）が乗務員カード３１に記録されている場合には、現在時刻がこの期限時刻より前であれば有効期間内の乗務許可コードであると認識できる。有効期間内の乗務許可コードであると認識した場合は次のステップＳ３７に進み、期限切れの場合はステップＳ３６に進む。
【００６７】
ステップＳ３６では、演算部３０は出庫エラーの発生を認識し、タクシーメータの機能を制限する。すなわち、乗務員が登録された正規の乗務員でない状態、当日の乗務許可を受けていない乗務員である状態、発行された乗務許可の期限が切れている状態等に該当するので、この乗務員の営業のための乗務を禁止するためにタクシーメータを使用できない状態に制御する。
【００６８】
具体的には、タクシーメータの「空車」モードから「実車」モードへの切り替えを禁止して出庫不可能な状態にする。従って、この場合には乗務員が「実車」ボタンを操作しても「実車」モードに切り替わることはなく、このタクシーメータを使用して営業活動を行うことはできない。
【００６９】
ステップＳ３７では、演算部３０はタクシーメータの機能制限を解除して出庫動作を許可する。従って、これ以降、例えば乗務員が「実車」ボタンを操作すると「実車」モードに切り替わり、乗客の運賃の計算や運賃等の表示の動作を行うことができる。
【００７０】
ステップＳ３８では、一般的なタクシーメータの場合と同様の出庫後の動作を行う。すなわち、乗務員の各種ボタン操作に従って、「空車」、「実車」、「支払い」、「高速」等の状態を切り替え、「実車」モードにおいては乗客の運賃の計算や運賃の表示等の処理を行う。また、出庫後の営業活動に伴ってタクシーメータの内部で生成される営業データや時系列データが営業データ格納部２７上に一時的に記録される。
【００７１】
当日の営業活動が終了すると、入庫状態に移行するために、乗務員はタクシーメータ車載器２０の操作部２６に備わっている「書き込み」ボタンを押下する。演算部３０が「書き込み」ボタンの押下を検出すると、ステップＳ３９からＳ４０に進む。
【００７２】
ステップＳ４０では、演算部３０はこれに内蔵された時計回路から現在時刻（日付も含む）の情報を取得し、この時刻を当日の入庫時刻の情報として乗務員カード３１に書き込む。
【００７３】
ステップＳ４１では、演算部３０は営業データ格納部２７に保持されている当日の営業データや時系列データを読み出して、これらのデータ全てを乗務員カード３１上に書き込み保存する。
【００７４】
ステップＳ４１の後で、乗務員は自分の乗務員カード３１をタクシーメータ車載器２０から取り外して事務所に持ち帰ることができる。この乗務員カード３１を事務所にあるカード管理装置１０に装着することにより、図２に示した処理を実行し、乗務員カード３１に記録されている当日の営業活動の営業データや時系列データをカード管理装置１０で読み取って保存し管理することができる。
【００７５】
図１および図５に示した上述の運行管理システムを利用することにより、タクシー乗務員の労務管理を厳格に行うことが可能になり、各乗務員が事前に定めた規制に違反してタクシーに乗務するのを未然に防止できる。例えば、前日に乗務を終了してから十分な長さの休憩を取ることなく翌日の乗務を開始しようと試みる乗務員に対しては、当日の乗務開始前に、乗務員カード３１をカード管理装置１０に装着しても、カード管理装置１０が当日の乗務許可を発行しない。また、この乗務員が当日の乗務許可が発行されていない乗務員カード３１をタクシーメータ車載器２０に装着しても、タクシーメータ車載器２０がタクシーメータの機能を制限するので営業活動を開始することはできない。
【００７６】
なお、乗務員が乗務員カード３１に記録された過去の乗務許可を流用し、労務管理のための当日の乗務許可の発行（乗務員カード３１のカード管理装置１０への装着）を省略しようと試みる可能性も考えられる。しかし、上述の運行管理システムの場合には乗務員カード３１に記録される乗務許可に有効期限があるので、古くなった乗務許可をタクシーメータ車載器２０上で利用することはできない。従って、各乗務員は最新の乗務許可を発行してもらうために、毎日、乗務を開始する前に、乗務員カード３１をカード管理装置１０に装着して所定の操作を行う必要がある。
【００７７】
以上のように、本発明のカード管理装置および運行管理システムは、タクシー車両に乗務する乗務員の労務管理を行うために利用することができ、予め定めた労務管理の規制に違反して乗務を行うのを未然に防止するために役立てることができる。また、タクシーメータと連動して入庫時刻等の時間を管理することにより、厳格に労務管理することが可能になる。
【符号の説明】
【００７８】
１０  カード管理装置
１１  入庫時刻検出部
１２  運行可否識別部
１３  運行許可発行部
１４  メモリカードＩ／Ｏ部
２０  タクシーメータ車載器
２１  入庫時刻書き込み部
２２  認証処理部
２３  運行制限制御部
２４  メモリカードＩ／Ｏ部
２５  表示部
２６  操作部
２７  営業データ格納部
２８  設定データ格納部
２９  外部インタフェース
３０  演算部
３１  乗務員カード
３２  乗務員管理ＤＢ
４１  領収書発行器
４２  ウインドサイン
【図１】
0005682058.tif 000002
【図２】
0005682058.tif 000003
【図３】
0005682058.tif 000004
【図４】
0005682058.tif 000005
【図５】
0005682058.tif 000006